(57)【特許請求の範囲】
【請求項１】
軸筒内に芯の把持・解放を行うチャック体が配置されたシャ−プペンシルであって、前記チャック体に芯が把持されている状態において、その芯を後退せしめることによって前記チャック体を回転させるチャック体回転手段を前記軸筒内に配置すると共に、そのチャック体回転手段は、摺動子とその摺動子に当接する回転子、並びに、軸筒の内壁面に設けられたカム部とから構成されてなり、前記チャック体の前方部にそのチャック体の開閉を行うチャックリングを囲繞させると共に、そのチャックリングの後端に前記摺動子を直接、或いは、中子を介して当接させ、その摺動子の移動に伴って移動する回転子を摺動子に当接させ、更に、その摺動子と、その摺動子の前方に位置するチャック体と、前記回転子を弾発部材によって前方に付勢させ、また、前記摺動子を軸筒に対して回転不能ではあるが前後への移動は可能にすると共に、前記チャック体の後部に芯タンクを固定し、その芯タンクに前記回転子を芯タンクに対して回転不能ではあるが、前後への移動は可能に配置し、また、その軸筒の先端に芯保護管を前後動可能に取り付け、その芯保護管を弾撥部材によって前方に付勢したことを特徴とするシャ−プペンシル。
【発明の詳細な説明】
【０００１】
【発明の属する技術分野】
本発明は、軸筒内に芯の把持・解放を行うチャック体が配置されたシャ−プペンシルに関する。
【０００２】
【従来の技術】
芯繰り出し機構を内蔵するシャ−プペンシルの軸筒の後端に前記芯繰り出し機構を作動せしめるノック部材を有するシャ−プペンシルとして、実開平４−１０４４９２号公報が知られている。チャックの後方にクッションばねを設け、過剰な筆記圧による芯の折損を防止すると共に、前記クッションばねの弾撥力も可変できるというものである。
【０００３】
【発明が解決しようとする課題】
しかし、上記従来技術にあっては、クッションばねにより芯の折損は防止できるものの、筆記を続けると芯が片減りし、芯の端面が楕円状になってしまい、その結果、筆記線の幅が次第に太くなってしまうものであった。ここで、細い状態の筆記線の幅を保つためには、細い径の芯で筆記する方法もあるが、芯が細いが故に折損強度も低いものであった。また、筆記具を持ち変え筆記具自体を回転させる方法もある。つまり、筆記具自体を回転させることにより、芯を間接的に回転させ、芯の他の端面を筆記する（紙）面に向けるのである。しかし、その様な動作は、その都度、筆記具を持ち変え回転させなければならず、面倒であり、また、煩わしいことでもあった。
【０００４】
【課題を解決するための手段】
本発明は、上記問題点に鑑みてなされたものであり、軸筒内に芯の把持・解放を行うチャック体が配置されたシャ−プペンシルであって、前記チャック体に芯が把持されている状態において、その芯を後退せしめることによって前記チャック体を回転させるチャック体回転手段を前記軸筒内に配置すると共に、そのチャック体回転手段は、摺動子とその摺動子に当接する回転子、並びに、軸筒の内壁面に設けられたカム部とから構成されてなり、前記チャック体の前方部にそのチャック体の開閉を行うチャックリングを囲繞させると共に、そのチャックリングの後端に前記摺動子を直接、或いは、中子を介して当接させ、その摺動子の移動に伴って移動する回転子を摺動子に当接させ、更に、その摺動子と、その摺動子の前方に位置するチャック体と、前記回転子を弾発部材によって前方に付勢させ、また、前記摺動子を軸筒に対して回転不能ではあるが前後への移動は可能にすると共に、前記チャック体の後部に芯タンクを固定し、その芯タンクに前記回転子を芯タンクに対して回転不能ではあるが、前後への移動は可能に配置し、また、その軸筒の先端に芯保護管を前後動可能に取り付け、その芯保護管を弾撥部材によって前方に付勢したことを要旨とするものである。
【０００５】
【実施例】
図１〜図６に１例を示し説明する。軸筒１の内部には、複数の芯を貯蔵する芯タンク２が前後動可能（以下、図中下方を前方といい、上方を後方という）に配置されている。その芯タンク２の前端には、芯の把持・解放を行うチャック体３が固定されており、そのチャック体３には、チャック体３の開閉を行うチャックリング４が囲繞した状態で挿着されている。また、前記軸筒１の前端には、先部材５が螺着などの手段によって着脱自在に固定されており、その先部材５の内側には、芯戻り止め部材６を内設し、また、先端に芯保護管７を取り付けたスライダ−８が摺動（前後動）自在に配置されている。符号９は、前記チャック体３を後方に付勢しているコイルスプリングなどの弾撥性を有するチャックスプリングである。
【０００６】
前記芯タンク２には、摺動子１０が挿着されており、その摺動子１０の前端は、中子１１を介して前記チャックリング４の後端に当接しているが、摺動子１０とチャックリング４とを直接当接させても良い。一方、摺動子１０の後端外周には、等間隔で縦リブ１２が形成されており、また、摺動子１０の後端面は、前記縦リブ１２に当たる箇所を頂部とする山形状の突起１３が複数、等間隔に形成されている。
その突起１３は、前記軸筒１の中間部の内壁面に形成されているカム部１４に係合している。詳述すると、前記カム部１４は、軸筒１に対して長手方向に長い縦突起１５と、その縦突起１５よりも長さが短く、また、軸筒１の内径よりも小さいが前記縦突起１の内径よりも大きい内径の縦溝部１６とから構成されており、それら縦突起１５の上端面と縦溝部１６の上端面とは、傾斜面１７によって連結されている。尚、それら縦突起１５と縦溝部１６は、前記軸筒１の内周面に等間隔に複数形成されている。ここで、前記摺動子１０の縦リブ１２（山形状の突起１３）は、カム部１４の縦溝部１６に係合しており、そのカム部１４（軸筒１）に対して回転不能ではあるが、上下方向への移動は可能になっている。
【０００７】
また、前記摺動子１０の上端には、回転子１８が弾撥部材１９によって前方に付勢せしめられ当接している。その回転子１８は、外周部に縦突起２０を有しており、その縦突起２０の下端には、傾斜面２１が形成されている。そして、前記縦突起２０は、前記カム部１４の傾斜面１７に当接している。
前記回転子１８の中心部には、前記芯タンク２が貫通する貫通孔２２が形成されているが、それら回転子１８と芯タンク２とは回転不能ではあるが、上下方向への移動は可能になっている。具体的には、前記貫通孔２２の対向した位置には、凹部２３が形成されており、その凹部２３に芯タンク２に形成されている突部２４が係合している（図３参照）。
【０００８】
前記回転子１８の後方には、前記弾撥部材１９の後方への移動（脱落）を防止するスプリング受け２５が固定されている。
また、前記先部材５の内側で、スライダ−８の後方には、内周突起２９が形成されている。そして、その内周突起２９と前記スライダ−８との間には、コイルスプリングなどの弾撥部材３０が張設されており、スライダ−８を前方に付勢している。ちなみに、その弾撥部材３０の付勢力は、前記芯戻り止め部材６が芯Ｌを保持する保持力よりも大きく設定されている。つまり、芯Ｌが後退しても、スライダ−８は芯Ｌの表面を摺動して前進する。
更に、前記芯タンク２の後端には、消しゴム２６を保持した消しゴムホルダ−２７が着脱自在に圧入されている。そして、その消しゴムホルダ−２７には押圧操作部ともなるノック（消しゴム）キャップ２８が着脱自在に圧入されている。
【０００９】
次に作用について説明する。芯を繰り出す際には、一般的なシャ−プペンシルと同様にノック（消しゴム）キャップ２８を押圧する。この押圧動作によって芯タンク２が回転子１８の貫通孔２２を摺動しながら前進する。その芯タンク２の前進に伴いチャック体３が前進し、この時芯Ｌをも前進せしめ、やがてチャック体３が拡開する。ここで、前記ノックキャップ２８の押圧操作を解除すると、芯タンク２とチャック体３が後退し、再び芯Ｌを把持する。これで芯の繰り出しが完了する。
【００１０】
筆記している最中に、芯が片減りし筆記線が太くなってしまった場合には、筆記の最中に芯Ｌを紙面（筆記面）に少し強く押し付ける。この押し付け動作によって、芯Ｌが後退すると共に、スライダ−８も後退しようとするが、そのスライダ−８は前記弾撥部材３０によって前進せしめられ、芯保護管９の先端と芯Ｌの先端とが面一の状態になる（図５参照）。また、この芯Ｌの後退動作によってチャック体３や摺動子１０などが後退せしめられ、芯Ｌの回転動作の準備がなされる。尚、ここで前記芯Ｌの芯保護管９からの突出量が比較的多い場合には、芯Ｌの回転動作が行われる。
前記の状態で、更に芯Ｌを紙面に押し付けると、芯Ｌと共にスライダ−８が後退する（図６参照）。この際、前記芯Ｌを把持しているチャック体３とチャックリング４も後退する。また、そのチャックリング４の後退に伴い、前記摺動子１０が後退し、その摺動子１０の後退によって回転子１８が弾撥部材１９に抗しながらも後退する。そして、この回転子１８の後退動作によって、回転子１８の突起１７は、カム部１４の縦突起１５の頂部に達し、やがて次（隣）の縦突起１５の傾斜面１７に回転しながら滑り落ちる（前進し基の位置に復帰する：図１参照）。摺動子１０の突起１３と回転子１８の傾斜面２１との係合状態により、前記回転子１８に回転の切っ掛けが与えられ、次いで傾斜面２１と傾斜面１７との係合状態によって、また、前記弾撥部材１９の付勢力により、回転子１８は前進しながら回転するのである。この回転子１８の回転によって前記芯タンク２が回転し、その芯タンクに固定されているチャック体３が回転する。そして、そのチャック体３の回転によって把持されている芯Ｌも回転する。
本例においては、芯Ｌが後退した（押圧作用をかけた）際、スライダ−８が前進するため、芯Ｌの先端を覆うことになり、押圧操作力による芯Ｌの折損を防止することができる。
尚、弾撥部材１９の弾発力の設定によっては、具体的には、弾発力を小さくすれば、芯を紙面から離す度に回転させることもできる。
また、芯Ｌが芯保護管７から多少しか突出していない場合でも、具体的には、回転子１８がカム部１４の傾斜面１７の頂部に達するまでの突出量がない場合でも、前記スライダ−８が（芯Ｌと共に）後退するため、芯Ｌの回転を行うことができる。また、芯を紙面に押し付けることによって、芯（チャック体）が後退するので、従来技術のようにクッション作用が働き、芯の折れをも防止することができる。
【００１１】
【発明の効果】
本発明は、軸筒内に芯の把持・解放を行うチャック体が配置されたシャ−プペンシルであって、前記チャック体に芯が把持されている状態において、その芯を後退せしめることによって前記チャック体を回転させるチャック体回転手段を前記軸筒内に配置すると共に、そのチャック体回転手段は、摺動子とその摺動子に当接する回転子、並びに、軸筒の内壁面に設けられたカム部とから構成されてなり、前記チャック体の前方部にそのチャック体の開閉を行うチャックリングを囲繞させると共に、そのチャックリングの後端に前記摺動子を直接、或いは、中子を介して当接させ、その摺動子の移動に伴って移動する回転子を摺動子に当接させ、更に、その摺動子と、その摺動子の前方に位置するチャック体と、前記回転子を弾発部材によって前方に付勢させ、また、前記摺動子を軸筒に対して回転不能ではあるが前後への移動は可能にすると共に、前記チャック体の後部に芯タンクを固定し、その芯タンクに前記回転子を芯タンクに対して回転不能ではあるが、前後への移動は可能に配置し、また、その軸筒の先端に芯保護管を前後動可能に取り付け、その芯保護管を弾撥部材によって前方に付勢したので、芯を紙面に押し付けるだけの簡単な動作で芯を回転させることができ、よって、芯に片減りが発生せず、一定の幅の筆記線を描くことができる。
【図面の簡単な説明】
【図１】  本発明の１例を示す縦断面図。
【図２】  要部部品を示す１部断面斜視図。
【図３】  図１のＡ−Ａ線断面図。
【図４】  図１の要部を拡大した縦断面図。
【図５】  芯の回転動作を示す要部を拡大した縦断面図。
【図６】  芯の回転動作を示す要部を拡大した縦断面図。
【符号の説明】
１      軸筒
２      芯タンク
３      チャック体
４      チャックリング
５      先部材
６      芯戻り止め部材
７      芯保護管
８      スライダ−
９      チャックスプリング
１０    摺動子
１１    中子
１２    縦リブ
１３    突起
１４    カム部
１５    縦突起
１６    縦溝部
１７    傾斜面
１８    回転子
１９    弾撥部材
２０    縦突起
２１    傾斜面
２２    貫通孔
２３    凹部
２４    突部
２５    スプリング受け
２６    消しゴム
２７    消しゴムホルダ−
２８    ノックキャップ
２９    円周突起
３０    弾撥部材
【図１】
0003885315.tif 000002
【図２】
0003885315.tif 000003
【図３】
0003885315.tif 000004
【図４】
0003885315.tif 000005
【図５】
0003885315.tif 000006
【図６】
0003885315.tif 000007